(57)【要約】【課題】保管場所に専用のフックやフックスタンド等を設置する必要がなく、洗浄及びマッサージの本来の機能を損なうことなく手軽に保管でき、使用時も保管時も邪魔になったり、外観を損なうことのない洗浄及びマッサージ具を提供する。【解決手段】基台１の天面側に指掛け２を備えると共に基台１の底面側に突出体３を備え、基台１の天面から底面にかけて貫通孔４を設けたものとし、前記指掛け２に支持体６を連結し、この支持体６を前記貫通孔４に摺動自在として貫通させ、支持体６の先端に吸着体７を設けたものとしている。【選択図】図５
2014018278.tif 000002
【特許請求の範囲】
【請求項１】
基台（１）の天面側に指掛け（２）を備えると共に基台（１）の底面側に突出体（３）を備え、基台（１）の天面から底面にかけて貫通孔（４）を設けたものとし、前記指掛け（２）に支持体（６）を連結し、この支持体（６）を前記貫通孔（４）に摺動自在として貫通させ、支持体（６）の先端に吸着体（７）を設けたことを特徴とする洗浄及びマッサージ具。
【請求項２】
前記支持体（６）に拡径胴部（６ａ）を設け、この拡径胴部（６ａ）を前記貫通孔（４）に設けた拡径孔部（４ａ）に嵌合するようにしていることを特徴とする請求項１記載の洗浄及びマッサージ具。
【請求項３】
前記貫通孔（４）の先端開口部に閉鎖弁（８）を設けたことを特徴とする請求項１又は２記載の洗浄及びマッサージ具。
【発明の詳細な説明】
【技術分野】
【０００１】
この発明は、頭髪、頭皮、その他身体各部を洗浄したり、マッサージするのに用いる洗浄及びマッサージ具に関するものである。
【背景技術】
【０００２】
従来、この種の物品として、頭髪や頭皮を洗浄したり、マッサージするための洗浄具やマッサージ具が存在し、また身体用の洗浄具やマッサージ具も存在した（特許文献１〜３）。
【０００３】
さらに、食器用の洗浄具、流し台用の洗浄具、浴室回りの洗浄具、窓ガラス、自動車のボディ用の洗浄具など、様々な分野に適した洗浄具が存在した（特許文献４、５）。
【０００４】
これら従来の洗浄具やマッサージ具は、それらの物品の使用後は、かごやトレイに入れたり、直に置いたりして、不安定な状態で保管していた。
【０００５】
さらに、従来の洗浄具やマッサージ具においては、フックなどに引っ掛けて、吊り下げる等して保管したり、専用のスタンドに保持して、保管しておけるものもあった。
【０００６】
また、従来の洗浄具やマッサージ具のなかには、細長い把手の先端に吸盤を取り付け、流し台の垂直面等に吸着させて吊り下げた状態で保管しておけるものもあった。
【先行技術文献】
【特許文献】
【０００７】
【特許文献１】特開２０００−６０６４０号公報
【特許文献２】特開２００８−６７７６８号公報
【特許文献３】特開２０１２−３４９９７号公報
【特許文献４】特開２０００−２４５６７９号公報
【特許文献５】特開２００１−３７６８２号公報
【発明の概要】
【発明が解決しようとする課題】
【０００８】
しかしながら、上記従来の洗浄具やマッサージ具は、吊り下げて保管するには、保管場所に吊り下げるためのフック等の引掛け具が必要であったり、この引掛け具を壁に穴を開けて設置したり、専用のフックスタンドを設置するなどしなければならないので、非常に面倒であるという問題点を有していた。
【０００９】
さらに、上記従来の洗浄具やマッサージ具は、かごやトレイに入れたり、直に置いたしすると、洗浄部やマッサージ部が曲がったり、不安定な状態で保管するため、倒れたり、落下したりして、破損してしまうことがあるという問題点を有していた。
【００１０】
また、上記従来の洗浄具やマッサージ具において、細長い把手の先端に吸盤を取り付けたものでは、保管時にはその吸盤を流し台の垂直面等に吸着させて吊り下げておけばよいので便利であるが、使用時にはその吸盤がむき出しになっているため、邪魔になったり、外観が悪くなるという問題点を有していた。
【００１１】
そこで、この発明は、上記従来品の課題を解決するものであり、保管場所に専用のフックやフックスタンド等を設置する必要がなく、洗浄及びマッサージの本来の機能を損なうことなく手軽に保管でき、使用時も保管時も邪魔になったり、外観を損なうことのない洗浄及びマッサージ具を提供することを目的としてなされたものである。
【課題を解決するための手段】
【００１２】
この発明の洗浄及びマッサージ具は、基台１の天面側に指掛け２を備えると共に基台１の底面側に突出体３を備え、基台１の天面から底面にかけて貫通孔４を設けたものとし、前記指掛け２に支持体６を連結し、この支持体６を前記貫通孔４に摺動自在として貫通させ、支持体６の先端に吸着体７を設けたものとしている。
【００１３】
この発明の洗浄及びマッサージ具において、前記支持体６の先端に設けた吸着体７が前記突出体３の先端より外方に飛び出すようにしている。
【００１４】
この発明の洗浄及びマッサージ具において、前記支持体６に拡径胴部６ａを設け、この拡径胴部６ａを前記貫通孔４に設けた拡径孔部４ａに嵌合するようにしている。
【００１５】
この発明の洗浄及びマッサージ具において、前記貫通孔４の先端開口部に閉鎖弁８を設けたものとしている。
【発明の効果】
【００１６】
この発明の洗浄及びマッサージ具は、以上に述べたように構成されており、保管場所に専用のフックやフックスタンド等を設置する必要がなくなり、洗浄及びマッサージの本来の機能を損なうことなく手軽に保管できるようになり、使用時も保管時も邪魔になったり、外観を損なうことのないものとなった。
【図面の簡単な説明】
【００１７】
【図１】この発明の洗浄及びマッサージ具の第一実施形態を示す平面図である。
【図２】図１に示すこの発明の洗浄及びマッサージ具の正面図である。
【図３】図１に示すこの発明の洗浄及びマッサージ具の底面図である。
【図４】図１に示すこの発明の洗浄及びマッサージ具の断面を表す説明図である（指掛けを上昇させた状態）。
【図５】図１に示すこの発明の洗浄及びマッサージ具の断面を表す説明図である（指掛けを下降させた状態）。
【図６】この発明の洗浄及びマッサージ具の第二実施形態を示す正面図である（指掛けを上昇させた状態）。
【図７】図６に示すこの発明の洗浄及びマッサージ具の正面図である（指掛けを下降させた状態）。
【図８】図６に示すこの発明の洗浄及びマッサージ具の底面図である。
【図９】この発明の洗浄及びマッサージ具の第三実施形態を示す正面図である。
【図１０】図９に示すこの発明の洗浄及びマッサージ具の底面図である。
【図１１】図９に示すこの発明の洗浄及びマッサージ具の断面を表す説明図である（指掛けを上昇させた状態）。
【図１２】図９に示すこの発明の洗浄及びマッサージ具の断面を表す説明図である（指掛けを下降させた状態）。
【図１３】この発明の洗浄及びマッサージ具の第四実施形態を示す正面図である（指掛けを上昇させた状態）。
【図１４】図１３に示すこの発明の洗浄及びマッサージ具の正面図である（指掛けを下降させた状態）。
【図１５】図１３に示すこの発明の洗浄及びマッサージ具の底面図である。
【図１６】この発明の洗浄及びマッサージ具の第五実施形態を示す正面図である（指掛けを上昇させた状態）。
【図１７】図１６に示すこの発明の洗浄及びマッサージ具の正面図である（指掛けを下降させた状態）。
【図１８】図１６に示すこの発明の洗浄及びマッサージ具の底面図である。
【図１９】この発明の洗浄及びマッサージ具の第六実施形態を示す平面図である。
【図２０】図１９に示すこの発明の洗浄及びマッサージ具の正面図である（指掛けを上昇させた状態）。
【図２１】図１９に示すこの発明の洗浄及びマッサージ具の正面図である（指掛けを下降させた状態）。
【図２２】この発明の洗浄及びマッサージ具の第一実施形態の使用状態を示す説明図である。
【図２３】この発明の洗浄及びマッサージ具の第三実施形態の使用状態を示す説明図である。
【図２４】この発明の洗浄及びマッサージ具の第一実施形態の保管状態の一例を示す説明図
【図２５】この発明の洗浄及びマッサージ具の第一実施形態の保管状態の他の例を示す説明図
【発明を実施するための形態】
【００１８】
以下、この発明の洗浄及びマッサージ具を実施するための形態を、図面に基づいて詳細に説明する。
【００１９】
この発明の洗浄及びマッサージ具は、基台１の天面側に指掛け２を備えると共に基台１の底面側に突出体３を備えたものとし、基台１の天面から底面にかけて貫通孔４を設けたものとしている。
【００２０】
前記基台１は、基体１ａの下部に弾性変形自在、または弾性変形しない基板１ｂを設けたものとしており、この基板１ｂに前記突出体３を突設したものとしている。この突出体３は、図１〜５に示したように、弾性を有する複数本の略円柱状体としたり、図６〜８に示したように、弾性を有する複数の毛束状体としたり、図９〜１２に示したように、スポンジ状体としたり、図１３〜１５に示したように、複数枚のブレードを平行に配置したブレード状体とすることができるが、洗浄及びマッサージにそれぞれ適したものであれば特に限定されることはない。
【００２１】
さらに、前記突出体３は、図１６〜１８に示したように、抜け毛除去プレート５を備えたものとすることができる。この抜け毛除去プレート５は、突出体３を略円柱状体や毛束状体にした場合、それぞれの突出体３が差し込まれる多数の孔を設けたものとしており、これら突出体３に沿って抜け毛除去プレート５を移動させることにより、突出体３に絡んだ抜け毛を除去できるようにしたものである。
【００２２】
前記指掛け２は、図１〜１８に示したものでは、略逆円錐状体として天面側に花柄をあしらった形態とし、図１９〜２１に示したものでは、略逆円錐状体として天面側にイニシャルロゴを付した形態としているが、指を引っ掛けることができる形態であれば特に限定されるものではない。このように花柄をあしらったり、イニシャルロゴを付した形態とすれば、物品そのものの洗浄及びマッサージという機能だけはなく、キャラクターやアート的な意匠を表現することによって、装飾的に良好な物となり、また保管状態においても装飾的に優れたものとなる。
【００２３】
さらに、前記指掛け２には、支持体６を連結しており、この支持体６を前記貫通孔４に摺動自在として貫通させ、支持体６の先端に吸着体７を設けたものとしている。吸着体７は、突出体３の先端より外方に飛び出すようにしている状態が、保管状態を考慮すると衛生的であるため、好ましい。
【００２４】
前記支持体６の先端部には拡径胴部６ａを設け、この拡径胴部６ａを前記貫通孔４の先端部に設けた拡径孔部４ａに嵌合するようにして、支持体６が貫通孔４から抜けてしまわないようにしている。また、前記貫通孔４の先端開口部には、閉鎖弁８を設けたものとし、洗浄時などに石鹸や洗剤の泡が貫通孔４内に入ってこないようにしている。
【００２５】
前記吸着体７は、吸盤状にしており、シリコン樹脂、塩化ビニールなど、様々なエラストマー様素材を使用することができ、使用状態に合わせて、適宜吸着力が確保できるものとしている。この吸着体７を吸盤状にした場合、その径は前記貫通孔４の径と同一か少し小さくしたり大きくしたものとしている。このようにすると、洗浄及びマッサージを行う場合に、吸着体７が邪魔になることがなく、外観においても吸着体７の存在がわかりにくくなり、外観を損ねることもない。
【００２６】
この発明の洗浄及びマッサージ具は、以上に述べたように構成されているので、これを使用するには、次のようにして行う。
【００２７】
先ず、使用者は、図２や図９に示したように指掛け２を引っ張って支持体６を引き出し、指の間に支持体６を挟み込むと共にその指を指掛け２に掛け、指及び手の平を基台１の天面に添わせるようにすれば、図２２や図２３に示したような状態になる。また、使用者は、先きに基台１を握り、その握った指の間を指掛け２に掛けると、その指の力が指掛け２に自然に作用して支持体６が引き出され、図２２や図２３に示したような状態になる。このようにすると、石鹸等の洗浄剤が手に付着した状態であっても、滑らず洗浄及びマッサージ具をしっかりと保持することができると共に、吸着体７は突出体３内に引っ込んだ状態となるので、吸着体７が邪魔になることがなく、洗浄やマッサージを行うことができる。
【００２８】
そして、使用後は、指掛け２を押さえて支持体６を押し戻し、図５、７、９、１１、１２、１４、１７、２１等に示した状態にする。このような状態にすると、図２４に示したように、流し台やタイル等の平面Ｐに支持体６の先端に設けた吸着体７を吸着させたり、図２５に示したように、壁や鏡等の平面Ｐに支持体６の先端に設けた吸着体７を吸着させておくことができる。吸着体７が突出体３の先端より外方に飛び出すようにした場合、突出体３の先端は、流し台、タイル、壁、鏡等の接触することなく、これらから浮いた状態を保持されることになる。したがって、突出体３が曲がったりせず変形を防ぐことができる。さらに、突出体３が水に濡れた場合も、水捌けがよくなり、その保持状態で乾燥させることができる。またそのため、カビ等の発生も防ぐことができ、衛生面でも改善されることになる。
【００２９】
よって、この発明の洗浄及びマッサージ具は、保管場所に専用のフックやフックスタンド等を設置する必要がなくなり、平面であれば壁や鏡等のどこへでも自由な場所に吸着させて保管しておくことができるものとなる。
【００３０】
さらに、この発明の洗浄及びマッサージ具は、突出体３が曲がったりせず変形を防ぐことができるので、洗浄及びマッサージの本来の機能を損なうことなく手軽に保管できるようになる。
【００３１】
しかも、この発明の洗浄及びマッサージ具は、吸着体７が使用時や保管時も邪魔になったりすることなく、外観を損なうこともないものとなる。
【符号の説明】
【００３２】
１  基台
２  指掛け
３  突出体
４  貫通孔
４ａ  拡径孔部
６  支持体
６ａ  拡径胴部
７  吸着体
８  閉鎖弁
【図１】
2014018278.tif 000003
【図２】
2014018278.tif 000004
【図３】
2014018278.tif 000005
【図４】
2014018278.tif 000006
【図５】
2014018278.tif 000007
【図６】
2014018278.tif 000008
【図７】
2014018278.tif 000009
【図８】
2014018278.tif 000010
【図９】
2014018278.tif 000011
【図１０】
2014018278.tif 000012
【図１１】
2014018278.tif 000013
【図１２】
2014018278.tif 000014
【図１３】
2014018278.tif 000015
【図１４】
2014018278.tif 000016
【図１５】
2014018278.tif 000017
【図１６】
2014018278.tif 000018
【図１７】
2014018278.tif 000019
【図１８】
2014018278.tif 000020
【図１９】
2014018278.tif 000021
【図２０】
2014018278.tif 000022
【図２１】
2014018278.tif 000023
【図２２】
2014018278.tif 000024
【図２３】
2014018278.tif 000025
【図２４】
2014018278.tif 000026
【図２５】
2014018278.tif 000027